【手続補正書】
【提出日】平成23年2月28日(2011.2.28)
【手続補正１】
【補正対象書類名】特許請求の範囲
【補正対象項目名】全文
【補正方法】変更
【補正の内容】
【特許請求の範囲】
【請求項１】
被覆されたテキスタイルを製造する方法であって、
テキスタイル基材を、
（Ａ）少なくとも１種の疎水性のポリマー、
（Ｂ）少なくとも１種のアミノ含有化合物、及び少なくとも１種のアルデヒド又はジアルデヒド及び、任意に少なくとも１種のアルコールの少なくとも１種の、任意の縮合生成物、
を含む水溶液で処理する工程、及び該工程の後に行われる、
（Ａ）少なくとも１種の疎水性のポリマー、
（Ｂ）少なくとも１種のアミノ含有化合物、及び少なくとも１種のアルデヒド又はジアルデヒド及び、任意に少なくとも１種のアルコールの少なくとも１種の縮合生成物、
（Ｃ）平均粒子径が１〜５００ｎｍの範囲の、粒子状の少なくとも１種の固体、
を含む更なる水溶液で処理する工程、
を含むことを特徴とする方法。
【請求項２】
前記縮合生成物（Ｂ）が、ウレア及び少なくとも１種のアルデヒド又はジアルデヒド及び任意に少なくとも１種のアルコール含むことを特徴とする請求項１に記載の方法。
【請求項３】
前記疎水性ポリマー（Ａ）が、フッ素化された（コ）ポリマーを含むことを特徴とする請求項１又は２に記載の方法。
【請求項４】
水溶液での処理の次に熱処理が行われることを特徴とする請求項１〜３の何れか１項に記載の方法。
【請求項５】
前記縮合生成物（Ｂ）が、一般式Ｉ
【化１】
2010523828.tif 000001
（但し、変数が以下のように定義される、
Ｒ1が、各場合において、同一又は異なり、及び水素、Ｃ1−Ｃ6−アルキル、
（ＣＨＣＨ3−ＣＨ2−Ｏ）m−Ｒ3、（ＣＨ2−ＣＨＣＨ3−Ｏ）m−Ｒ3、（ＣＨ2−ＣＨ2−ＣＨ2−Ｏ）m−Ｒ3、（ＣＨ2−ＣＨ2−ＣＨ2−ＣＨ2−Ｏ）m−Ｒ3及び（ＣＨ2ＣＨ2Ｏ）mＲ3から選択され、そして、ｍは、１〜５０の整数であり、
Ｒ2が、各場合において、同一又は異なり、及び水素、Ｃ1−Ｃ6−アルキル、（ＣＨＣＨ3−ＣＨ2−Ｏ）m−Ｒ3、（ＣＨ2−ＣＨＣＨ3−Ｏ）m−Ｒ3、（ＣＨ2−ＣＨ2−ＣＨ2−Ｏ）m−Ｒ3、（ＣＨ2−ＣＨ2−ＣＨ2−ＣＨ2−Ｏ）m−Ｒ3及び（ＣＨ2ＣＨ2Ｏ）mＲ3から選択され、そして、ｍは、１〜５０の整数であり、
Ｒ3が、水素及びＣ1−Ｃ20−アルキルから選択される）
の化合物を含むことを特徴とする請求項１〜４の何れか１項に記載の方法。
【請求項６】
前記更なる水溶液が、少なくとも１種の界面活性化合物（Ｄ）を含むことを特徴とする請求項１〜５の何れか１項に記載の方法。
【請求項７】
第１の水溶液又は更なる水溶液が、湿潤剤、消泡剤（発泡防止剤）、通気剤、架橋剤（硬化剤）、フロー助剤、及び増粘剤、ポリビニルアセテート、ポリビニルアルコール及び部分的に鹸化したポリビニルアセテートから選択される少なくとも１種の添加剤（Ｅ）を含むことを特徴とする請求項１〜６の何れか１項に記載の方法。
【請求項８】
請求項１〜７の何れか１項に記載の方法で処理されたテキスタイル。
【請求項９】
請求項８に記載のテキスタイルを、オーニング、フード又は防水シートとして、又はこれらのために使用する方法。
【請求項１０】
請求項８に記載のテキスタイルを使用して製造されたオーニング、フード又は防水シート。
【請求項１１】
（Ａ）少なくとも１種の疎水性ポリマー、
（Ｂ）少なくとも１種のアミノ含有化合物、及び少なくと１種のアルデヒド又はジアルデヒド及び、任意に少なくとも１種のアルコールの少なくとも１種の縮合生成物、
（Ｅ）湿潤剤、消泡剤（発泡防止剤）、通気剤、架橋剤（硬化剤）、フロー助剤、及び増粘剤、ポリビニルアセテート、ポリビニルアルコール及び部分的に鹸化したポリビニルアセテートから選択される少なくとも１種の添加剤、
を含み、且つ
（Ｃ）平均粒子径が１〜５００ｎｍの範囲の、粒子状の少なくとも１種の固体、
を有しないことを特徴とする水溶液。
【請求項１２】
前記縮合生成物（Ｂ）が、ウレア及び少なくとも１種のアルデヒド又はジアルデヒド及び任意に少なくとも１種のアルコール含むことを特徴とする請求項１１に記載の方法。
【請求項１３】
前記疎水性ポリマー（Ａ）が、フッ素化された（コ）ポリマーを含むことを特徴とする請求項１１又は１２に記載の水溶液。
【請求項１４】
前記縮合生成物（Ｂ）が、一般式Ｉ
【化２】
2010523828.tif 000002
（但し、変数が以下のように定義される、
Ｒ1が、各場合において、同一又は異なり、及び水素、Ｃ1−Ｃ6−アルキル、（ＣＨＣＨ3−ＣＨ2−Ｏ）m−Ｒ3、（ＣＨ2−ＣＨＣＨ3−Ｏ）m−Ｒ3、（ＣＨ2−ＣＨ2−ＣＨ2−Ｏ）m−Ｒ3、（ＣＨ2−ＣＨ2−ＣＨ2−ＣＨ2−Ｏ）m−Ｒ3及び（ＣＨ2ＣＨ2Ｏ）mＲ3から選択され、そして、ｍは、１〜５０の整数であり、
Ｒ2が、各場合において、同一又は異なり、及び水素、Ｃ1−Ｃ6−アルキル、（ＣＨＣＨ3−ＣＨ2−Ｏ）m−Ｒ3、（ＣＨ2−ＣＨＣＨ3−Ｏ）m−Ｒ3、（ＣＨ2−ＣＨ2−ＣＨ2−Ｏ）m−Ｒ3、（ＣＨ2−ＣＨ2−ＣＨ2−ＣＨ2−Ｏ）m−Ｒ3及び（ＣＨ2ＣＨ2Ｏ）mＲ3から選択され、
そして、ｍは、１〜５０の整数であり、
Ｒ3が、水素及びＣ1−Ｃ20−アルキルから選択される）
の化合物を含むことを特徴とする請求項１１〜１３の何れか１項に記載の水溶液。
【手続補正２】
【補正対象書類名】明細書
【補正対象項目名】０００１
【補正方法】変更
【補正の内容】
【０００１】
本発明は、被覆されたテキスタイルを製造する方法であって、
テキスタイル基材を、
（Ａ）少なくとも１種の疎水性のポリマー、
（Ｂ）任意に、少なくとも１種のアミノ含有化合物、及び少なくとも１種のアルデヒド又はジアルデヒド及び、任意に少なくとも１種のアルコールの少なくとも１種の縮合生成物、
を含む水溶液で処理する工程、及び該工程の後に行われる、
（Ａ）少なくとも１種の疎水性ポリマー、
（Ｂ）少なくとも１種のアミノ−含有化合物及び少なくとも１種のアルデヒド又はジアルデヒド及び、任意に少なくとも１種のアルコールの少なくとも１種の縮合生成物、
（Ｃ）平均粒子径が１〜５００ｎｍの範囲の、粒子状の少なくとも１種の固体、
を含む更なる水溶液で処理する工程、
を含むことを特徴とする方法に関する。
【手続補正３】
【補正対象書類名】明細書
【補正対象項目名】００２１
【補正方法】変更
【補正の内容】
【００２１】
この工程の次に、
（Ａ）少なくとも１種の疎水性ポリマー、
（Ｂ）少なくとも１種のアミノ−含有化合物及び少なくとも１種のアルデヒド又はジアルデヒド及び、任意に少なくとも１種のアルコールの少なくとも１種の縮合生成物、
（Ｃ）平均粒子径が１〜５００ｎｍの範囲の、粒子状の少なくとも１種の固体、
を含む更なる水溶液で処理する工程が行われる。
【手続補正４】
【補正対象書類名】明細書
【補正対象項目名】０１０４
【補正方法】変更
【補正の内容】
【０１０４】
（但し、式Ｉ及びＩＶの変数が以下のように定義される、
Ｒ1が、各場合において、同一又は異なり、及び水素、Ｃ1−Ｃ6−アルキル、（ＣＨＣＨ3−ＣＨ2−Ｏ）m−Ｒ3、（ＣＨ2−ＣＨＣＨ3−Ｏ）m−Ｒ3、（ＣＨ2−ＣＨ2−ＣＨ2−Ｏ）m−Ｒ3、（ＣＨ2−ＣＨ2−ＣＨ2−ＣＨ2−Ｏ）m−Ｒ3及び好ましくは（ＣＨ2ＣＨ2Ｏ）mＲ3から選択され、そして、ｍは、１〜５０の整数であり、
Ｒ2が、各場合において、同一又は異なり、及び水素、Ｃ1−Ｃ6−アルキル、（ＣＨＣＨ3−ＣＨ2−Ｏ）m−Ｒ3、（ＣＨ2−ＣＨＣＨ3−Ｏ）m−Ｒ3、（ＣＨ2−ＣＨ2−ＣＨ2−Ｏ）m−Ｒ3、（ＣＨ2−ＣＨ2−ＣＨ2−ＣＨ2−Ｏ）m−Ｒ3及び好ましくは（ＣＨ2ＣＨ2Ｏ）mＲ3から選択され、そして、ｍは、１〜５０の整数であり、
Ｒ3が、水素及びＣ1−Ｃ20−アルキルから選択される）
の化合物を含む。